(57)【要約】【課題】利用者にとって利用効果が高いコンテンツ情報を利用したシステム及びその方法を提供する。【解決手段】コンテンツ情報が入力される事業者端末１０と、事業者端末１０に接続され、ウェブサイトを提供する管理サーバ２０と、コンテンツ情報が出力される利用者端末３０とが通信ネットワーク５０を介して接続された懸賞付コンテンツ管理システムであって、管理サーバ２０は、コンテンツ情報を出力するコンテンツ管理処理手段Ｍ１１と、コンテンツ情報の出力後、売上情報、懸賞在庫情報、利用料情報の少なくとも１つの情報に基づく賞金情報を算出する賞金管理処理手段Ｍ１３と、賞金管理処理手段Ｍ１３に対して売上情報を出力する料金管理処理手段Ｍ１６と、を備えることを特徴とする。【選択図】図１
2007109087.tif 000002
【特許請求の範囲】
【請求項１】
コンテンツ情報が入力される事業者端末と、前記事業者端末に接続され、ウェブサイトを提供する管理サーバと、前記コンテンツ情報が出力される利用者端末とが通信ネットワークを介して接続された懸賞付コンテンツ管理システムであって、
前記管理サーバは、
前記コンテンツ情報を出力するコンテンツ管理処理手段と、
前記コンテンツ情報の出力後、売上情報、懸賞在庫情報、利用料情報の少なくとも１つの情報に基づく賞金情報を算出する賞金管理処理手段と、
前記賞金管理処理手段に対して売上情報を出力する料金管理処理手段と、
を備えることを特徴とする、懸賞付コンテンツ管理システム。
【請求項２】
前記コンテンツ管理処理手段による前記コンテンツ情報の送信処理後に当選権利を確定する当選者管理処理手段を含むことを特徴とする、請求項１に記載の懸賞付コンテンツ管理システム。
【請求項３】
前記料金管理処理手段は、前記事業者端末に対して利用料の支払請求と、及び／又は、管理料の支払請求を出力することを特徴とする、請求項１または２に記載の懸賞付コンテンツ管理システム。
【請求項４】
前記管理サーバは、
リンク提供サーバから前記管理サーバに入力された１又は複数の前記リンク誘導情報を予め設定された条件に基づき前記管理サーバに割り当て、登録を開始し、及び／又は、登録更新処理を行うリンク設定管理処理手段
をさらに含むことを特徴とする、請求項１から３のいずれか1項に記載の懸賞付コンテンツ管理システム。
【請求項５】
前記管理サーバは、
前記リンク提供サーバに対して、リンク設定料の支払通知を出力し、
前記利用者端末に対して支払われる賞金情報の通知を出力するリンク提供者向料金管理処理手段
をさらに含むことを特徴とする、請求項１から４のいずれか１項に記載の懸賞付コンテンツ管理システム。
【請求項６】
コンテンツ情報が入力される事業者端末と、前記事業者端末に接続され、ウェブサイトを提供する管理サーバと、前記コンテンツ情報が出力される利用者端末とが通信ネットワークを介して接続された懸賞付コンテンツ管理方法であって、
前記管理サーバは、
前記コンテンツ情報を出力するステップと、
前記コンテンツ情報の出力後、売上情報、懸賞在庫情報、利用料情報の少なくとも１つの情報に基づく賞金情報を算出するステップと、
前記賞金情報の算出に対して売上情報を出力するステップと、
を備えることを特徴とする、懸賞付コンテンツ管理方法。
【請求項７】
前記コンテンツ情報の送信処理後に当選権利を確定するステップを含むことを特徴とする、請求項６に記載の懸賞付コンテンツ管理方法。
【請求項８】
前記事業者端末に対して利用料の支払請求と、及び／又は、管理料の支払請求を出力するステップを含むことを特徴とする、請求項６または７に記載の懸賞付コンテンツ管理方法。
【請求項９】
前記管理サーバは、
リンク提供サーバから前記管理サーバに入力された１又は複数の前記リンク誘導情報を予め設定された条件に基づき前記管理サーバに割り当て、登録を開始し、及び／又は、登録更新処理を行うステップ
をさらに含むことを特徴とする、請求項６から８のいずれか１項に記載の懸賞付コンテンツ管理方法。
【請求項１０】
前記管理サーバは、
前記リンク提供サーバに対してリンク設定料の支払通知を出力し、
前記利用者端末に対して支払われる賞金情報の通知を出力するステップ
をさらに含むことを特徴とする、請求項６から９のいずれか１項に記載の懸賞付コンテンツ管理方法。
【発明の詳細な説明】
【技術分野】
【０００１】
この発明は、懸賞を利用したコンテンツ管理システム及びその方法に関する。
【背景技術】
【０００２】
近年、企業は自社のホームページを閲覧してもらう機会を増やすために、動画、静止画、テキスト型のバナー等を使用し、それらを検索エンジン等のアクセス数の多いウェブサイトに表示し、自社のホームページへ誘引する方法を利用している。さらに、バナー広告等には、企業が提供する懸賞を表示し、より高い誘引効果を得ようとするものもある。
【０００３】
しかしながら、ウェブサイトに広告を掲載することは企業にとって一般的に高額な広告費用が発生する。また、懸賞付きの広告を掲載したからといって必ずしも利用者が当該広告にアクセスするとは限らないという問題点もある。
【０００４】
そこで、特許文献１では消費者（利用者）に広告の掲載内容をよくみてもらうことに加えて、複数の広告主に参加させて、懸賞に応募した消費者に供与する商品や賞金を各広告主に負担させ、懸賞にかかる各広告主に経費負担を軽減する発明を開示している。
【０００５】
特許文献１によれば、広告主が懸賞広告として広告媒体に掲載される懸賞参加情報を仲介業者から賃貸することで、ネットワーク上において消費者を容易に募集・参加させることができ、しかも、広告主自信が抽選を主催するに比して大幅に低減できる効果がある。
【特許文献１】特開２００４−３１８４７１号公報（第１頁  要約及び選択図）
【発明の開示】
【発明が解決しようとする課題】
【０００６】
しかしながら、特許文献１に開示される発明では、懸賞の対象は広告に限られており、その他の場合の懸賞については開示されていない。また、消費者に提供される賞金の元手は、広告主から提供される広告費のみである。したがって、本発明では、広告に限られず、広く多種の内容（以下、これらを含めコンテンツという。）を対象とするとともに、賞金の元手が広告費に限られないシステム及びその方法を提供する。
【課題を解決するための手段】
【０００７】
上記課題を解決するため、本発明では、以下のような手段をとる。なお、以下に記載するコンピュータシステムは、複数のコンピュータ、及び、それらのコンピュータ間をつなぐネットワークを含むものである。
【０００８】
懸賞とは、あるものを募り、また人や物を探すために掛けられた商品、サービスや賞金をいう。さらに、懸賞提供情報とは、商品又はサービス等の提供情報を示す。具体的には、商品又はサービス等の内容、利用期限、数量、場合により写真等を示す商品明細を含む。賞金情報とは、賞金に紐付く情報であり、賞金の金額のみならず、利用者の氏名や、利用者を特定するための登録番号、連絡先などの連絡事項を含む。
【０００９】
管理サーバは、サイトの管理者が直接または間接に管理可能なサーバをいい、１つのサーバで構成される場合のみならず、各処理手段、各データベースの機能をいくつかのサーバに分散して持たせることも可能であり、後者の場合においては、これらのサーバの集合したものを管理サーバと呼ぶ。
【００１０】
リンク提供サイト内での閲覧及びコンテンツ情報問合せの利用には、閲覧、問合せのみならず、その後の、懸賞への参加、商品またはサービスの購入、視聴、例えば、アンケート回答等のマーケティング参加を含む。なお、コンテンツ情報とは、求人情報などを含む概念である。
【００１１】
事業者端末は、事業主が直接または間接に管理可能な端末であって、携帯電話をも含むコンピュータ端末である。さらに、事業主には法人だけでなく、個人も含まれる。
【００１２】
利用者端末は、利用者が直接または間接に管理可能な端末であって、携帯電話をも含むコンピュータ端末である。
【００１３】
リンク提供サーバとは、本発明である懸賞付コンテンツ管理システムの管理者と提携契約を締結する法人または個人の提携者が運営するサーバであって、管理サーバから提供される情報をリンク提供サーバが開設するウェブサイトに表示するサーバである。さらに、リンク提供サーバは、検索エンジンサイト（検索エンジン機能）をも備えており、所定のキーワードをもとに、検索結果一覧が設定された順に表示される。さらに、リンク提供サーバが擬似的に事業者端末と化し、コンテンツ情報や懸賞情報を提供することもできる。
【００１４】
なお、提携者は、本発明である懸賞付コンテンツ管理システムの管理者自身も含まれる概念であってもよい。
【００１５】
さらに、リンク提供サーバに端末を接続し、リンク提供者がその端末を操作し、リンク提供サーバを運用することや、必要なファイルをアップロードすることもできる。
【００１６】
リンク設定とは、コンテンツ情報にリンク誘導情報を予め設定された条件に基づき設定することである。リンク誘導情報とは、リンクされる側のウェブサイトのＩＰアドレスやＵＲＬなどが該当する。
【００１７】
請求項１記載の発明は、コンテンツ情報が入力される事業者端末と、事業者端末に接続され、ウェブサイトを提供する管理サーバと、コンテンツ情報が出力される利用者端末とが通信ネットワークを介して接続された懸賞付コンテンツ管理システムであって、管理サーバは、コンテンツ情報を出力するコンテンツ管理処理手段と、コンテンツ情報の出力後、売上情報、懸賞在庫情報、利用料情報の少なくとも１つの情報に基づく賞金情報を算出する賞金管理処理手段と、賞金管理処理手段に対して売上情報を出力する料金管理処理手段と、を備えることを特徴とする。
【００１８】
これによって、管理サーバ内にコンテンツ情報が入力・登録され、コンテンツ情報が出力される。さらに、コンテンツ情報の出力後、利用料情報、懸賞在庫情報、売上情報の少なくとも１つに応じて、賞金情報が算出される。このため、事業主にとって利用効果の高い懸賞付コンテンツ管理システムを実現できる。
【００１９】
請求項２記載の発明は、コンテンツ管理処理手段によるコンテンツ情報の送信処理後に当選権利を確定する当選者管理処理手段を含むことを特徴とする。
【００２０】
これによって、コンテンツ情報の利用者は当選または落選を知ることができ、賞金を獲得する権利を得られるか否かを判断できる。このため、事業主にとって利用効果の高い懸賞付コンテンツ管理システムを実現できる。
【００２１】
請求項３記載の発明は、料金管理処理手段は、事業者端末に対して利用料の支払請求と、及び／又は、管理料の支払請求を出力することを特徴とする。
【００２２】
これによって、料金管理処理手段に請求機能を追加することで、事業者端末へ利用料と管理料の支払請求を出力することができる。このため、事業主にとって利用効果の高い懸賞付コンテンツ管理システムを実現できる。
【００２３】
請求項４記載の発明は、管理サーバは、リンク提供サーバから管理サーバに入力された１又は複数のリンク誘導情報を予め設定された条件に基づき管理サーバに割り当て、登録を開始し、及び／又は、登録更新処理を行うリンク設定管理処理手段をさらに含むことを特徴とする。
【００２４】
これによって、リンク提供サーバを追加することによって、利用者端末からのアクセスルートの増加が図れる。管理サーバはリンク提供サーバを経由して利用者端末にコンテンツ情報を送信することが可能である。本システムの管理者にとってリンク提供サーバを増加することは、利用者端末を増加することにつながり、事業主にとって利用効果の高い懸賞付コンテンツ管理システムを実現できる。
【００２５】
請求項５記載の発明は、管理サーバは、リンク提供サーバに対して、リンク設定料の支払通知を出力し、利用者端末に対して支払われる賞金情報の通知を出力するリンク提供者向料金管理処理手段をさらに含むことを特徴とする。
【００２６】
これによって、請求項１から４に記載の発明にリンク提供者向料金管理処理手段を追加することで、管理サーバはリンク提供サーバに対し、リンク設定料の支払通知することができ、利用者端末に対して、支払われる賞金を通知できる。このため、事業主にとって利用効果の高い懸賞付コンテンツ管理システムを実現できる。
【００２７】
請求項６記載の発明は、コンテンツ情報が入力される事業者端末と、事業者端末に接続され、ウェブサイトを提供する管理サーバと、コンテンツ情報が出力される利用者端末とが通信ネットワークを介して接続された懸賞付コンテンツ管理方法であって、管理サーバは、コンテンツ情報を出力するステップと、コンテンツ情報の出力後、売上情報、懸賞在庫情報、利用料情報の少なくとも１つの情報に基づく賞金情報を算出するステップと、賞金情報の算出に対して売上情報を出力するステップと、を備えることを特徴とする。
【００２８】
これによって、管理サーバ内にコンテンツ情報が入力・登録され、コンテンツ情報が出力される。さらに、コンテンツ情報の出力後、利用料情報、懸賞在庫情報、の売上情報の少なくとも１つに応じて、賞金情報が算出される。このため、事業主にとって利用効果の高い懸賞付コンテンツ管理方法を実現できる。
【００２９】
請求項７記載の発明は、コンテンツ情報の送信処理後に当選権利を確定するステップを含むことを特徴とする。
【００３０】
これによって、コンテンツ情報の利用者は当選または落選を知ることができ、賞金を獲得する権利を得られるか否かを判断できる。このため、事業主にとって利用効果の高い懸賞付コンテンツ管理方法を実現できる。
【００３１】
請求項８記載の発明は、事業者端末に対して利用料の支払請求と、及び／又は、管理料の支払請求を出力するステップを含むことを特徴とする。
【００３２】
これによって、事業者端末へ利用料と管理料の支払請求を出力することができる。このため、事業主にとって利用効果の高い懸賞付コンテンツ管理方法を実現できる。
【００３３】
請求項９記載の発明は、管理サーバは、リンク提供サーバから管理サーバに入力された１又は複数のリンク誘導情報を予め設定された条件に基づき管理サーバに割り当て、登録を開始し、及び／又は、登録更新処理を行うステップをさらに含むことを特徴とする。
【００３４】
これによって、リンク提供サーバを追加することによって、利用者端末からのアクセスルートの増加が図れる。管理サーバはリンク提供サーバを経由して利用者端末にコンテンツ情報を送信することが可能である。本システムの管理者にとってリンク提供サーバを増加することは、利用者端末を増加することにつながり、事業主にとって利用効果の高い懸賞付コンテンツ管理方法を実現できる。
【００３５】
請求項１０記載の発明は、管理サーバは、リンク提供サーバに対して、リンク設定料の支払通知を出力し、利用者端末に対して支払われる賞金情報の通知を出力するステップ
をさらに含むことを特徴とする。
【００３６】
これによって、管理サーバはリンク提供サーバに対し、リンク設定料の支払通知することができ、利用者端末に対して、支払われる賞金を通知できる。このため、事業主にとって利用効果の高い懸賞付コンテンツ管理方法を実現できる。
【発明の効果】
【００３７】
本発明の懸賞付コンテンツ管理システムまたは方法によると、以下のような効果がある。まず、本システムを利用する利用者は、本システムのコンテンツ情報を閲覧し、本システムの売り上げに基づく賞金を得ることができる。さらに、賞金は金銭に限らず、ポイント制として利用者に提供することができる。
【００３８】
一方、事業主は利用者が興味を抱いている情報を管理サーバから利用でき、無作為に利用者端末にコンテンツ情報を配信・出力するより、利用者を絞って配信することができる。したがって、無駄なコンテンツ配信費用を削減でき、利用効果の高いコンテンツを配信することができる。
【００３９】
さらに、本システムとリンク提供サーバとを提携関係によって結びつけることで、利用者端末は、本システム以外にも、リンク提供サーバと通信を行い本システムへアクセスすることができ、アクセスルートの増加が図れる。
【発明を実施するための最良の形態】
【００４０】
以下本発明の実施形態を図面を参照しつつ詳細に説明する。
（第１実施形態）
【００４１】
まず、第１実施形態について図１乃至図４を参照して説明する。図１は、第１実施形態のシステム構成図であり、これに基づいて、システム構成例の概要を説明する。
【００４２】
懸賞付コンテンツ管理システムは、コンテンツ情報が入力される事業者端末１０と、事業者端末１０に接続され、ウェブサイトを提供する管理サーバ２０と、コンテンツ情報が出力される利用者端末３０とが通信ネットワーク５０を介して接続された懸賞付コンテンツ管理システムである。なお、コンテンツ情報は事業者端末１０だけでなく、管理サーバ２０もまた提供することができる。
【００４３】
ここでの管理サーバ２０は、
（１）事業者端末１０からのコンテンツ情報を受信・登録し、登録後、コンテンツ情報を利用者端末３０に対し出力・送信するコンテンツ管理処理手段Ｍ１１と、
（２）コンテンツ情報の出力後、売上情報、懸賞在庫情報、利用料情報の少なくとも１つの情報に基づく賞金情報を算出する賞金管理処理手段Ｍ１３と、
（３）コンテンツ管理処理手段Ｍ１１によるコンテンツ情報の送信処理後、当選権利を確定する当選者管理処理手段Ｍ１５と、
（４）当選者確定後、賞金管理処理手段Ｍ１３に対して売上情報を出力し、事業者端末１０に対して利用料の支払請求と、及び／又は、管理料の支払請求を出力する料金管理処理手段Ｍ１６と、
それぞれの手段Ｍ１１，Ｍ１３，Ｍ１５，Ｍ１６に対応するデータベースＤ１１，Ｄ１３，Ｄ１５，Ｄ１６を有している。ここでデータベースＤ１１，Ｄ１３，Ｄ１５，Ｄ１６は、それぞれの手段Ｍ１１，Ｍ１３，Ｍ１５，Ｍ１６と、ここでは便宜上分離して示したが、手段内の一要素とすることも出来る。
【００４４】
次に、上記の各手段とそのデータベースの構成をその作用とともに順次説明する。なお、後述する各手段は、管理サーバ２０内のハードウェア構成中、ＣＰＵ等の処理装置あるいはそこで実行されるプログラム、およびハードディスク等の記憶装置により実現される。
【００４５】
図２は、管理サーバ２０内のコンテンツ管理処理手段Ｍ１１とそのデータベースＤ１１、の構成を示す構成図である。
【００４６】
まず、事業主はコンテンツ情報を事業者端末１０に入力する。コンテンツ情報受付管理処理部ｍ１１０１は、事業者端末１０からのコンテンツ情報入力Ｉ１００１を受付け、コンテンツ情報受付管理情報記憶部ｄ１１０１に記憶する。これにより、管理サーバ２０内にコンテンツ情報が登録される。このコンテンツ情報は、コンテンツ情報審査管理処理部ｍ１１０３により、コンテンツ情報審査管理情報記憶部ｄ１１０３に予め登録されている審査データを参照して、登録するにふさわしいかを判定する。
【００４７】
事業者端末１０から入力されたコンテンツ情報がふさわしくない場合、コンテンツ情報審査管理処理部ｍ１１０３は、コンテンツ情報登録不可出力Ｏ１００１をコンテンツ情報の入力が行われた事業者端末１０宛に送信する。一方で、事業者端末１０から入力されたコンテンツ情報がふさわしい場合、コンテンツ情報登録管理処理部ｍ１１０５は、そのコンテンツ情報の登録データをコンテンツ情報登録管理情報記憶部ｄ１１０５に記憶する。
【００４８】
コンテンツ在庫管理処理部ｍ１１０７は、コンテンツ情報の在庫状況を、コンテンツ在庫管理情報記憶部ｄ１１０７に記憶し、残数管理を行う。コンテンツ利用期限管理処理部ｍ１１０９は、コンテンツ利用期限をコンテンツ利用期限管理情報記憶部ｄ１１０９に記憶しその管理を行う。例えば、コンテンツ情報の在庫とは、事業主によって管理サーバに登録されたコンテンツ情報のうち、実際に使用（利用）されずに、管理サーバ２０内に登録されたままの状態となっているものをいう。
【００４９】
コンテンツ連続リンク指示管理処理部ｍ１１１１は、コンテンツ情報の在庫と利用期限の状況を参照して、コンテンツ連続リンク指示出力Ｏ１００３を事業者端末１０に発信するとともに、コンテンツ連続リンク指示管理情報記憶部ｄ１１１１に記憶する。なお、コンテンツ連続リンク指示とはコンテンツ情報の在庫が切れたり、事業者端末１０から入力されるコンテンツ情報の利用期限が切れた場合に、引き続き（連続して）事業主が管理サーバ２０にコンテンツ情報を掲載するか否かの判断を求める指示である。
【００５０】
コンテンツ配信指示管理処理部ｍ１１１３は、コンテンツ情報登録管理処理部ｍ１１０５のコンテンツ情報登録処理完了信号を受けて、コンテンツ情報配信設定指示信号を、コンテンツ配信指示管理情報記憶部ｄ１１１３に記憶するとともに、この信号をコンテンツ情報管理処理部ｍ１１１５に出力する。
【００５１】
コンテンツ情報管理処理部ｍ１１１５は、コンテンツ情報管理情報記憶部ｄ１１１５を参照して、コンテンツ情報を利用者端末３０に広告情報出力Ｏ１００５として配信する。閲覧管理処理部ｍ１１１７は、利用者端末３０からのリンク提供サイトの閲覧情報を受付け、これを閲覧管理情報記憶部ｄ１１１７に記憶する。なお、このコンテンツ情報管理処理部ｍ１１１５は、コンテンツ情報配信に関するその他の処理を総括する。
【００５２】
注文管理処理部ｍ１１１９は、利用者端末３０から受けた注文を注文管理情報記憶部ｄ１１１９に記憶し、商品送付を指令する商品送付出力Ｏ１００７を送信する。なお、利用者端末３０から受けた注文が不動産広告や求人広告等のサービスに関する問合せに該当する場合、注文管理処理部ｍ１１１９は、物件情報や面接日等の回答を商品送付出力Ｏ１００７として送信する。視聴管理処理部ｍ１１２１は、視聴サービスの要請を受けて、視聴出力指示出力Ｏ１００９を送信し、この状況を視聴管理情報記憶部ｄ１１２１に記憶する。
【００５３】
マーケティング管理処理部ｍ１１２３は、マーケティング管理情報記憶部ｄ１１２３と協働で、利用者端末３０に対するアンケートなどのマーケティング参加調査を行い、その結果をマーケティング集計結果出力Ｏ１０１１として送出する。懸賞ゲーム管理処理部ｍ１１２５は、懸賞用のゲームをこのシステムが設ける場合の懸賞用のゲームの管理を懸賞ゲーム管理情報記憶部ｄ１１２５と協働で行う。景品管理処理部ｍ１１２７は、登録された懸賞の管理処理を総合的に司り、景品送付指示出力Ｏ１０１３を出すとともに、この状況を景品管理情報記憶部ｄ１１２７に記憶する。
【００５４】
図３は、賞金管理処理手段Ｍ１３とそのデータベースＤ１３、当選者管理処理手段Ｍ１５とそのデータベースＤ１５の構成を示す構成図である。
【００５５】
賞金情報受付管理処理部ｍ１３０１は、コンテンツ情報とともに入力された所定のコンテンツ配信料情報のうち、予め設定された条件（例えば、求人広告料のうち数％）に基づき、その配信料情報を分割し、分割された一部の配信料情報を賞金情報及び／又は配当金情報として計上し、賞金情報受付管理情報記憶部ｄ１３０１に記憶する。また、管理者や事業主によって賞金情報が入力された場合にも、同様に、賞金情報受付管理情報記憶部ｄ１３０１に記憶する。これによって、利用者に支払われる賞金及び／又は配当金が管理サーバ２０内に記憶される。なお、この他にも、賞金情報の入力は、複数の事業主で均等に割り付ける方式や、予め決められた条件のもと一定の分担金を事業主に課すこともできる。さらに、事業主からコンテンツ情報配信料情報が提供されない場合、本システム利用後に発生するコンテンツ情報出力に基づく売り上げの一部を賞金情報として提供させることも可能である。
【００５６】
複数の事業主が複数のカテゴリーのうち同一のカテゴリーにコンテンツ情報を出力したい場合、賞金情報積算管理処理部ｍ１３０３は、賞金情報受付管理処理部ｍ１３０１で行われる処理によって算出された賞金情報を積算し、賞金情報積算管理情報記憶部ｄ１３０３に記憶する。また、後述する当選者選定管理処理部ｍ１５０３によって、当選者が選定されなかった場合は、賞金情報は持ち越しとされ、再度、賞金情報は賞金情報積算管理情報記憶部ｄ１３０３に記憶される。これによって、管理サーバ２０のうち、同一のカテゴリーに登録される賞金総額情報、配当金情報は増加する。すなわち、複数の事業主によって、賞金が提供されることになる。
【００５７】
賞金情報計算管理処理部ｍ１３０５は、賞金情報積算管理情報記憶部ｄ１３０３に記憶された賞金総額情報を懸賞ゲームによって当選した人数で除算するなどの方法で、配当金情報を算出し、賞金情報計算管理情報記憶部ｄ１３０５に記憶する。
【００５８】
賞金情報割当管理処理部ｍ１３０７は、賞金情報計算管理情報記憶部ｄ１３０５に記憶された配当金額情報を当選した利用者端末３０に割当て、賞金情報割当管理情報記憶部ｄ１３０７に記憶する。これによって、当選した利用者に割り当てられる配当金額情報が管理サーバ２０内に記憶される。さらに、賞金情報割当管理処理部ｍ１３０７は、賞金情報及び配当金額情報を、管理サーバ２０や、後述するリンク提供サーバ６０によって開設されるホームページに出力され、利用者に閲覧してもらうようにすることもできる。
【００５９】
当選者選定指示管理処理部ｍ１３０９は、賞金情報割当管理情報記憶部ｄ１３０７に記憶されるのと同期して、当選者管理処理手段Ｍ１５に当選者選定信号を出力し、その情報を当選者選定指示管理情報記憶部ｄ１３０９に記憶する。
【００６０】
当選者選定指示受付管理処理部ｍ１５０１は、当選者選定指示管理処理部ｍ１３０９からの当選者選定信号を受付け、当選者選定指示受付管理情報記憶部ｄ１５０１に記憶する。当選者選定管理処理部ｍ１５０３は、予め設定された条件に基づき、当選者を決定し、当選者情報として当選者選定管理情報記憶部ｄ１５０３に記憶する。ここでの条件には、当選者選定管理情報記憶部ｄ１５０３に記憶されるプログラムを用いて、くじびき等の方式で決定することや、利用者の購入に関する問い合わせを向上するための決定率を上げるために事業者が支払う利用料に基づいて優先的に当選者を決定させる方式、コンテンツ情報に問い合わせをした利用者を当選者に決定させる方式などが該当する。
【００６１】
当選者積算管理処理部ｍ１５０５は、当選者選定管理処理部ｍ１５０３によって決定された当選者情報を積算し、当選者積算管理情報記憶部ｄ１５０５に記憶する。当選者情報管理処理部ｍ１５０７は、当選者積算管理情報記憶部ｄ１５０５に記憶された複数の当選者情報に基づき、当選者となった各利用者端末３０に対して当選者情報出力Ｏ１０１５を出力し、これを当選者情報管理情報記憶部ｄ１５０７に記憶する。これによって、本システムを利用する各利用者は、賞金を得る権利に当選したか否かを判断できる。
【００６２】
料金精算指示管理処理部ｍ１５０９は、当選者情報管理情報記憶部ｄ１５０７に当選者情報出力を記憶するのと同期して、料金精算指示信号を料金管理処理手段Ｍ１６に出力し、これを料金精算指示管理情報記憶部ｄ１５０９に記憶する。
【００６３】
図４は、料金管理処理手段Ｍ１６とそのデータベースＤ１６の構成を示す構成図である。
【００６４】
料金精算指示管理処理部ｍ１５０９からの料金精算指示信号を料金精算指示受付管理処理部ｍ１６０１が受け、これを料金精算指示受付管理情報記憶部ｄ１６０１に記憶する。それぞれの利用料金は、その性格に応じて、次の各管理処理部で行われる。
【００６５】
コンテンツ売上げ代金は、コンテンツ売上代金積算管理処理部ｍ１６０３で処理され、コンテンツ売上代金積算管理情報記憶部ｄ１６０３に記憶される。注文売上げ代金は、注文売上代金積算管理処理部ｍ１６０５で処理され、注文売上代金積算管理情報記憶部ｄ１６０５に記憶される。閲覧売上げ代金は、閲覧売上代金積算管理処理部ｍ１６０７で処理され、閲覧売上代金積算管理情報記憶部ｄ１６０７に記憶される。マーケティング利用代金は、マーケティング利用代金積算管理処理部ｍ１６０９で処理され、マーケティング利用代金積算管理情報記憶部ｄ１６０９に記憶される。
【００６６】
各事業主サイトの売上げは、事業主別サイト売上合計管理処理部ｍ１６１１で処理され、事業主別サイト売上合計管理情報記憶部ｄ１６１１に記憶される。各事業主の利用料は、上記の該当する処理部と情報記憶部から利用料計算管理処理部ｍ１６１５で計算され、利用料計算管理情報記憶部ｄ１６１５に記憶される。上記の該当する処理部で処理され、または、情報記憶部に記憶された売上情報の一部または全部が賞金情報として、予め設定された条件に基づき、利用者端末３０に配信される。
【００６７】
利用料請求管理処理部ｍ１６１７は、利用料請求出力Ｏ１０１７を該当する事業者端末１０宛に送出する。これは、利用料請求管理情報記憶部ｄ１６１７に記憶される。これにより、事業主が本システムの利用を終了させた場合または設定期間ごとに、管理サーバ２０は事業者端末１０に対して、利用者端末３０からのサービス利用成果に応じた利用料の支払請求を行う。利用料入金管理処理部ｍ１６１９は、事業者端末１０からの入金があった場合、利用料請求管理情報記憶部ｄ１６１７の請求金額の情報と比較し、その結果を利用料入金管理情報記憶部ｄ１６１９に記憶する。なお、上述した支払請求及び入金確認については、クレジットカード決済や電子マネー決済等の決済手段でも行うことができる。また、上述した料金管理処理手段Ｍ１６のうち、料金精算指示受付管理処理部ｍ１６０１、コンテンツ売上代金積算管理処理部ｍ１６０３、注文売上代金積算管理処理部ｍ１６０５、閲覧売上代金積算管理処理部ｍ１６０７、マーケティング利用代金積算管理処理部ｍ１６０９、事業主別サイト売上合計管理処理部ｍ１６１１及びそれぞれの管理情報記憶部は、賞金管理処理手段Ｍ１３の構成要素に含め、それぞれの処理を賞金管理処理手段Ｍ１３の管理処理部として機能させることも可能である。これによって、売上情報に基づく賞金情報は、賞金管理処理手段Ｍ１３において算出することが可能となり、料金管理処理手段Ｍ１６は、利用者に対する利用料の計算、請求、入金管理の各処理をする手段となる。
（第２実施形態）
【００６８】
次に、第２実施形態について図５乃至図８を参照して説明する。図５は、第２実施形態のシステム構成図であり、これに基づいて、システム構成例の概要を説明する。なお、第１実施形態での各処理手段と同様の構成には同一符号を付し、その説明を省略する。したがって、第２実施形態では追加されたリンク提供サイト情報登録処理手段Ｍ１２、リンク設定管理処理手段Ｍ１４、リンク提供者向料金管理処理手段Ｍ１７について詳細に説明する。
【００６９】
第２実施形態の懸賞付コンテンツ管理システムは、コンテンツ情報が入力される事業者端末１０と、事業者端末１０に接続され、ウェブサイトを提供する管理サーバ２０と、管理サーバ２０に接続されリンク誘導情報が入力されるリンク提供サーバ６０と、コンテンツ情報及びリンク誘導情報が出力される利用者端末３０とが通信ネットワーク５０を介して接続された懸賞付コンテンツ管理システムである。なお、コンテンツ情報は事業者端末１０だけでなく、管理サーバ２０もまた提供することができる。
【００７０】
ここでの管理サーバ２０は、
（１）事業者端末１０からのコンテンツ情報を受信・登録し、登録後、コンテンツ情報を利用者端末３０に対し出力・送信するコンテンツ管理処理手段Ｍ１１と、
（２）リンク提供サーバ６０からのリンク提供サイト情報を受信し、登録するリンク提供サイト情報登録処理手段Ｍ１２と、
（３）コンテンツ情報の出力後、売上情報、懸賞在庫情報、利用料情報の少なくとも１つの情報に基づく賞金情報を算出する賞金管理処理手段Ｍ１３と、
（４）入力されたコンテンツ情報と、入力されたリンク提供サイト情報をリンク設定するリンク設定管理処理手段Ｍ１４と、
（５）コンテンツ管理処理手段Ｍ１１によるコンテンツ情報の送信処理後、当選権利を確定する当選者管理処理手段Ｍ１５と、
（６）当選者確定後、賞金管理処理手段Ｍ１３に対して売上情報を出力し、事業者端末１０に対して利用料の支払請求と、及び／又は、管理料の支払請求を出力する料金管理処理手段Ｍ１６と、
（７）リンク提供サーバ６０に対して、リンク設定料の支払請求と、及び／又は、管理料の支払請求を出力し、利用者端末３０に対して、支払われる賞金情報、及び／又は、配当金情報の通知を出力するリンク提供者向料金管理処理手段Ｍ１７と、
それぞれの手段Ｍ１１，Ｍ１２，Ｍ１３，Ｍ１４，Ｍ１５，Ｍ１６，Ｍ１７に対応するデータベースＤ１１，Ｄ１２，Ｄ１３，Ｄ１４，Ｄ１５，Ｄ１６，Ｄ１７を有している。ここでデータベースＤ１１，Ｄ１２，Ｄ１３，Ｄ１４，Ｄ１５，Ｄ１６，Ｄ１７は、それぞれの手段Ｍ１１，Ｍ１２，Ｍ１３，Ｍ１４，Ｍ１５，Ｍ１６，Ｍ１７と、ここでは便宜上分離して示したが、手段内の一要素とすることも出来る。
【００７１】
まず、第２実施形態において追加されたリンク提供サイト情報登録処理手段について説明する。
【００７２】
図６は、リンク提供サイト情報登録処理手段Ｍ１２とそのデータベースＤ１２の構成を示す構成図である。サイト情報受付管理処理部ｍ１２０１は、リンク提供サーバ６０からのリンク提供サイト情報入力Ｉ１００５を受付け、サイト情報受付管理情報記憶部ｄ１２０１に記憶する。これにより、管理サーバ２０内にリンク提供サイト情報及びリンク提供サイトに表示させるリンク誘導情報（リンクされる側ウェブサイトのＵＲＬ等）が登録される。このリンク提供サイト情報は、サイト情報審査管理処理部ｍ１２０３により、サイト審査管理情報記憶部ｄ１２０３に予め登録されている審査データを参照して、登録するにふさわしいかを判定する。
【００７３】
リンク提供サーバ６０から入力されたリンク提供サイト情報がふさわしくない場合、サイト情報審査管理処理部ｍ１２０３は、リンク提供サイト情報登録不可出力Ｏ１０１９をリンク提供サイト情報を提供するリンク提供サーバ６０に送信する。一方で、リンク提供サーバ６０から入力されたリンク提供サイト情報がふさわしい場合、サイト情報登録管理処理部ｍ１２０５は、リンク提供サイト情報をサイト情報登録管理情報記憶部ｄ１２０５に記憶する。
【００７４】
サイト情報利用期限管理処理部ｍ１２０７は、リンク提供サイト情報の利用期限をサイト情報利用期限管理情報記憶部ｄ１２０７に記憶し、その管理を行う。サイト情報連続提供指示管理処理部ｍ１２０９は、利用期限の状況を参照して、リンク提供サイト情報連続提供指示出力Ｏ１０２１をリンク提供サーバ６０に発信するとともに、サイト情報連続提供指示管理情報記憶部ｄ１２０９に記憶する。なお、リンク提供サイト情報連続提供指示とはリンク提供サーバ６０から提供されるリンク提供サイト情報の利用期限が切れた場合に、引き続き（連続して）リンク提供サーバ６０が管理サーバ２０にリンク提供サイト情報を掲載するか否かの判断を求める指示である。
【００７５】
サイト情報登録リンク指示管理処理部ｍ１２１１は、サイト情報登録管理処理部ｍ１２０５のサイト情報登録処理完了信号を受けて、リンク設定指示信号を、サイト情報登録リンク指示管理情報記憶部ｄ１２１１に記憶するとともに、この信号をリンク設定管理処理手段Ｍ１４に出力する。
【００７６】
次に、第２実施形態において追加されたリンク設定管理処理手段について説明する。
【００７７】
図７は、リンク設定管理処理手段Ｍ１４とそのデータベースＤ１４の構成を示す構成図である。コンテンツ配信指示管理処理部ｍ１１１３からのコンテンツ配信指示信号をコンテンツ配信指示受付管理処理部ｍ１４０１が受けて、これをコンテンツ配信指示受付管理情報記憶部ｄ１４０１に記憶する。サイト情報登録リンク指示管理処理部ｍ１２１１からのリンク設定指示信号をリンク提供サイト情報受付管理処理部ｍ１４０３が受けて、これをリンク提供サイト情報受付管理情報記憶部ｄ１４０３に記憶する。
【００７８】
コンテンツ情報積算管理処理部ｍ１４０５は、事業者端末１０から管理サーバ２０に登録された複数のコンテンツ情報を積算し、コンテンツ情報積算管理情報記憶部ｄ１４０５に記憶する。サイト情報積算管理処理部ｍ１４１１は、リンク提供サーバ６０から管理サーバ２０に登録されたリンク提供サイト情報に符号を割当て、予め設定された条件に基づき積算し、サイト情報積算管理情報記憶部ｄ１４１１に記憶する。ここでの条件とは、バナーをクリックした回数、サイトを閲覧した回数やページを更新した回数、リンク提供サーバ６０から指定のあったジャンルが条件となる。
【００７９】
リンク設定先検索管理処理部ｍ１４１７は、登録されたコンテンツ情報を基に、登録されたリンク提供サイト情報を予め設定された条件に基づき検索し、その情報を抽出する。ここでの条件は、コンテンツ情報が、リンク提供サイト情報に割り当てられる条件である。
【００８０】
リンク設定管理処理部ｍ１４１９は、抽出されたリンク提供サイト情報をコンテンツ情報に割り当て、リンク設定する。このリンク設定の記憶は、リンク設定管理情報記憶部ｄ１４１９に記憶される。これにより、リンク提供サーバ６０が開設するウェブサイト上の表示位置情報（バナーが表示されるスペース）が、事業主の提供するコンテンツ情報へリンク設定される。
【００８１】
リンク設定解除指示受付管理処理部ｍ１４２１は、リンク設定解除指示信号を受付けた場合、それをリンク設定解除指示受付管理情報記憶部ｄ１４２１に記憶し、リンク設定解除管理処理部ｍ１４２３が、その特定されたリンクの解除を行い、この状況をリンク設定解除管理情報記憶部ｄ１４２３に記憶する。リンク設定管理処理部ｍ１４１９によりリンク設定された後、リンク指示管理処理部ｍ１４２５は、コンテンツ管理処理手段Ｍ１１にリンク指示信号を送る。なお、ここでの、リンク設定管理処理手段Ｍ１４に於けるリンク設定は、スタンバイ状態として、コンテンツ管理処理手段Ｍ１１に知らせ、コンテンツ管理処理手段Ｍ１１からのリンク指示を待つものとしてもよい。
【００８２】
最後に、第２実施形態において追加されたリンク提供者向料金管理処理手段について説明する。
【００８３】
図８は、リンク提供者向料金管理処理手段Ｍ１７とそのデータベースＤ１７の構成を示す図である。料金精算指示管理処理部ｍ１５０９からのリンク提供者向料金精算指示信号を料金精算指示受付管理処理部ｍ１７０１が受け、これを料金精算指示受付管理情報記憶部ｄ１７０１に記憶する。それぞれの利用料金は、その性格に応じて、次の各管理処理部で行われる。
【００８４】
各リンク提供サーバ６０の売上げは、サイト売上合計管理処理部ｍ１７１１で処理され、サイト売上合計管理情報記憶部ｄ１７１１に記憶される。各リンク提供サーバ６０のリンク設定料は、上記の該当する処理部と情報記憶部からリンク設定料計算管理処理部ｍ１７１５で計算され、リンク設定料計算管理情報記憶部ｄ１７１５に記憶される。
【００８５】
リンク設定料請求管理処理部ｍ１７１７は、リンク設定料請求出力Ｏ１０２３を該当するリンク提供サーバ６０宛に送出する。これは、リンク設定料請求管理情報記憶部ｄ１７１７に記憶される。これにより、事業主がリンクを終了させた場合または設定期間ごとに、管理サーバ２０はリンク提供サーバ６０に対して、利用者端末３０からのサービス利用成果に応じたリンク設定料の支払請求を行うことができる。リンク設定料入金管理処理部ｍ１７１９は、リンク提供サーバ６０からの入金があった場合、リンク設定料請求管理情報記憶部ｄ１７１９の記憶と対照し、その結果を、リンク設定料入金管理情報記憶部ｄ１７１９に記憶する。なお、本手段においても支払請求及び入金確認については、クレジットカード決済や電子マネー決済等の決済手段でも行うことができる。
【００８６】
なお、管理サーバ２０からリンク提供サーバ６０にリンク設定料を支払わない実施形態とすることもできる。また、支払われる場合のリンク設定料は、金銭に限られず、それと同等の価値を有するサービスによる対価、例えば、本発明のシステムの他の機能を使用し、景品などと交換する場合のサービスポイント、本発明のシステムが開設する特別なウェブサイトを利用するためのアクセス権、本発明のシステムから提供されるソフトウェアを電気通信回線を通じてダウンロードするための許可権などであってもよい。
（その他の実施形態）
【００８７】
上述した第１実施形態、第２実施形態において、本システムを利用しようとする利用者は、適宜、利用者端末３０から住所、氏名、電話番号、電子メールアドレス、ユーザコード、パスワード等の顧客情報を入力し、管理サーバ２０内に顧客情報を登録することができる。
【００８８】
また、本システムを利用しようとする事業主は、事業者端末１０から所在地、会社名、電話番号、ＦＡＸ番号、電子メールアドレス、ユーザコード、パスワード等の企業情報を入力し、管理サーバ２０内に企業情報が登録を登録することができる。
【００８９】
さらに、本発明は、上述した実施形態に限定されるものではなく、その要旨を逸脱しない範囲内で種々変形して実施することが可能である。
【産業上の利用可能性】
【００９０】
本発明の懸賞付コンテンツ管理システムまたは方法によると、本システムを利用する利用者は本システムのコンテンツ情報を閲覧することによって、本システムの売り上げ、すなわち、事業主の本システムの売上情報、懸賞在庫情報、利用料情報の少なくとも１つの情報に基づく賞金を得ることができ、産業上の利用可能性が高い。
【図面の簡単な説明】
【００９１】
【図１】本発明による第１実施形態のシステム構成図である。
【図２】図１の第１実施形態における管理サーバ内のコンテンツ管理処理手段とそのデータベースの構成を示す構成図である。
【図３】図１の第１実施形態における管理サーバ内の賞金管理処理手段，当選者管理処理手段とそれぞれのデータベースの構成を示す構成図である。
【図４】図１の第１実施形態における管理サーバ内の料金管理処理手段とそのデータベースの構成を示す構成図である。
【図５】本発明による第２実施形態のシステム構成図である。
【図６】図５の第２実施形態における管理サーバ内のリンク提供サイト情報登録処理手段とそのデータベースの構成を示す構成図である。
【図７】図５の第２実施形態における管理サーバ内のリンク設定管理処理手段とそのデータベースの構成を示す構成図である。
【図８】図５の第２実施形態における管理サーバ内のリンク提供者向料金管理処理手段とそのデータベースの構成を示す構成図である。
【符号の説明】
【００９２】
１０  事業者端末、２０  管理サーバ、３０  利用者端末、３１  利用者携帯端末、５０  ネットワーク、６０  リンク提供サーバ、Ｍ１１  コンテンツ管理処理手段、Ｍ１２  リンク提供サイト情報登録処理手段、Ｍ１３  賞金管理処理手段、Ｍ１４  リンク設定管理処理手段、Ｍ１５  当選者管理処理手段、Ｍ１６  料金管理処理手段、Ｍ１７  リンク提供者向料金管理処理手段、Ｄ１１，Ｄ１２，Ｄ１３，Ｄ１４，Ｄ１５，Ｄ１６，Ｄ１７，  データベース。
【図１】
2007109087.tif 000003
【図２】
2007109087.tif 000004
【図３】
2007109087.tif 000005
【図４】
2007109087.tif 000006
【図５】
2007109087.tif 000007
【図６】
2007109087.tif 000008
【図７】
2007109087.tif 000009
【図８】
2007109087.tif 000010